(57)【特許請求の範囲】
【請求項１】
マルチメディア放送／マルチキャストサービス（ＭＢＭＳ）のためのマルチキャスト放送の単一周波数ネットワーク（ＭＢＳＦＮ）送信に使用される無線リソースを動的にディスパッチする方法であって、
マルチセル／マルチキャスト協調エンティティ（ＭＣＥ）によって、現在のディスパッチ周期について、ＭＢＳＦＮ送信に使用される各ＭＢＭＳサービスまたは各ＭＢＭＳサービス・グループのサービス品質（ＱｏＳ）要件に従って各ＭＢＭＳサービスまたは各ＭＢＭＳサービス・グループの半静的ＭＢＭＳディスパッチ情報を決定するステップを含み、前記ＭＢＭＳサービス・グループは、そのＱｏＳ要件として同一のブロック誤り率を有する複数のＭＢＭＳサービスを統計的に多重化することによって形成されるサービス・グループであり、さらに、
前記ＭＣＥによって、ＭＢＳＦＮエリア内の各基地局および各基地局の制御下のそれぞれの移動局に前記決定された半静的ＭＢＭＳディスパッチ情報について知らせるステップと、
各基地局によって、前記ＭＣＥから受信された前記半静的ＭＢＭＳディスパッチ情報および各ＭＢＭＳサービスまたは各ＭＢＭＳサービス・グループによって処理される実際のデータ量に従って前記無線リソースを動的にディスパッチするステップとを含む、方法。
【請求項２】
前記半静的ＭＢＭＳディスパッチ情報は、各ＭＢＭＳサービスまたは各ＭＢＭＳサービス・グループの送信シーケンス情報、ＭＢＭＳサブフレーム割当パターン（ＭＳＡＰ）情報、および変調および符号化ソリューション（ＭＣＳ）情報を含み、前記ＭＳＡＰ情報は、各ＭＢＭＳサービスまたは各ＭＢＭＳサービス・グループの前記ＭＢＳＦＮ送信に使用される割り当てられるＭＢＳＦＮサブフレームの最大範囲を示す、請求項１に記載の方法。
【請求項３】
前記ＭＢＭＳサービス・グループを形成する各ＭＢＭＳサービスのＭＢＳＦＮ送信に使用される内部送信シーケンスがあり、前記内部送信シーケンスは、前記ＭＢＭＳサービス・グループを形成する各ＭＢＭＳサービスの前記ＱｏＳ要件に従って前記ＭＣＥによって決定され、前記ＱｏＳ要件は、前記ＭＢＭＳサービス・グループを形成する各ＭＢＭＳサービスの優先順位レベルまたは遅延を含む、請求項１に記載の方法。
【請求項４】
前記無線リソースを動的にディスパッチする前記ステップは、
各ＭＢＭＳサービスまたは各ＭＢＭＳサービス・グループによって処理される前記実際のデータ量が、前記ＭＳＡＰ情報によって示される前記ＭＢＭＳサービスまたは前記ＭＢＭＳサービス・グループに割り当てられた前記ＭＢＳＦＮサブフレームのすべてを占めるのではない場合に、占められていないＭＢＳＦＮサブフレームをユニキャスト・サービスに使用するステップと、
各ＭＢＭＳサービスまたは各ＭＢＭＳサービス・グループによって処理される前記実際のデータ量が、前記ＭＳＡＰ情報によって示される前記ＭＢＭＳサービスまたは前記ＭＢＭＳサービス・グループに割り当てられた前記ＭＢＳＦＮサブフレームのすべてを充てんするのではない場合に、充てんするデータを前記ＭＢＭＳサービスの最後の前記ＭＢＳＦＮサブフレームだけに追加し、または充てんするデータを前記ＭＢＭＳサービス・グループを形成するすべての前記ＭＢＭＳサービスの中の最後の前記ＭＢＭＳサービスの最後の前記ＭＢＳＦＮサブフレームだけに追加するステップとを含む、請求項２に記載の方法。
【請求項５】
各ＭＢＭＳサービスについて、前記ＭＳＡＰ情報および前記ＭＣＳ情報は、前記ＭＢＭＳサービスの保証ビットレート（ＧＢＲ）または最大ビットレート（ＭＢＲ）に従って決定され、
各ＭＢＭＳサービス・グループについて、前記ＭＳＡＰ情報および前記ＭＣＳ情報は、前記ＭＢＭＳサービス・グループの集約グループビットレートおよびブロック誤り率の前記ＱｏＳ要件に従って決定され、
前記送信シーケンス情報は、各ＭＢＭＳサービスまたは各ＭＢＭＳサービス・グループの優先順位レベルまたは遅延に従って決定される、請求項２に記載の方法。
【請求項６】
前記ＭＣＥによって、ＭＢＳＦＮエリア内の各基地局および各基地局の制御下のそれぞれの移動局に前記決定された半静的ＭＢＭＳディスパッチ情報について知らせるステップは、
前記ＭＣＥによって、Ｍ２インターフェースを介して前記ＭＢＳＦＮエリア内の各基地局に前記半静的ＭＢＭＳディスパッチ情報について知らせるステップと、
各基地局によって、前記基地局によって受信された前記半静的ＭＢＭＳディスパッチ情報をＭＣＥから無線リソース制御（ＲＲＣ）シグナリングを介してＵｕインターフェースを介してそれぞれの移動局に送信するステップとを含む、請求項１に記載の方法。
【請求項７】
前記ＭＣＥによって、前記Ｍ２インターフェースを介して前記ＭＢＳＦＮエリア内の各基地局に前記半静的ＭＢＭＳディスパッチ情報について知らせるステップは、
前記半静的ＭＢＭＳディスパッチ情報を含む半静的ＭＢＭＳディスパッチ情報メッセージを前記ＭＣＥから前記Ｍ２インターフェースを介して各基地局に送信するステップと、
各基地局によって、前記ＭＣＥから前記Ｍ２インターフェースを介して前記半静的ＭＢＭＳディスパッチ情報メッセージを受信し、前記基地局によって、前記半静的ＭＢＭＳディスパッチ情報メッセージが正しく受信されたかどうかを示すために半静的ＭＢＭＳディスパッチ情報応答メッセージをフィードバックするステップとを含む、請求項６に記載の方法。
【請求項８】
前記ＲＲＣシグナリングは、ＭＢＭＳ変更済みサービス情報シグナリング、ＭＢＭＳ未変更サービス情報シグナリング、および現在のセルのポイント・ツー・マルチポイント無線ベアラ（ＰＴＭ  ＲＢ）情報シグナリングを含む、請求項６に記載の方法。
【請求項９】
各基地局によって前記無線リソースの前記動的ディスパッチから入手される動的ディスパッチの結果は、前記移動局が所望のＭＢＭＳサービスまたはＭＢＭＳサービス・グループを前記基地局から受信し、復号するために、「ＭＢＭＳディスパッチ情報媒体アクセス制御ＭＡＣ要素」を利用して前記基地局からそれぞれの移動局に送信される、請求項１に記載の方法。
【請求項１０】
マルチメディア放送／マルチキャストサービス（ＭＢＭＳ）のためのマルチキャスト放送の単一周波数ネットワーク（ＭＢＳＦＮ）送信に使用される無線リソースを動的にディスパッチするマルチセル／マルチキャスト協調エンティティ（ＭＣＥ）であって、
現在のディスパッチ周期について、ＭＢＳＦＮ送信に使用される各ＭＢＭＳサービスまたは各ＭＢＭＳサービス・グループのサービス品質（ＱｏＳ）要件に従って各ＭＢＭＳサービスまたは各ＭＢＭＳサービス・グループの半静的ＭＢＭＳディスパッチ情報を決定するディスパッチ情報決定手段を含み、前記ＭＢＭＳサービス・グループは、そのＱｏＳ要件として同一のブロック誤り率を有する複数のＭＢＭＳサービスを統計的に多重化することによって形成されるサービス・グループであり、さらに、
前記半静的ＭＢＭＳディスパッチ情報を含む半静的ＭＢＭＳディスパッチ情報メッセージをＭＢＳＦＮエリア内の各基地局に送信するディスパッチ情報送信手段含む、ＭＣＥ。
【請求項１１】
各基地局からフィードバックされた半静的ＭＢＭＳディスパッチ情報応答メッセージを、前記基地局に送信された前記半静的ＭＢＭＳディスパッチ情報メッセージが正しく受信されたかどうかを判定するために受信するフィードバック受信手段をさらに含む、請求項１０に記載のＭＣＥ。
【請求項１２】
前記半静的ＭＢＭＳディスパッチ情報は、各ＭＢＭＳサービスまたは各ＭＢＭＳサービス・グループの送信シーケンス情報、ＭＢＭＳサブフレーム割当パターン（ＭＳＡＰ）情報、および変調および符号化方式（ＭＣＳ）情報を含み、前記ＭＳＡＰ情報は、各ＭＢＭＳサービスまたは各ＭＢＭＳサービス・グループの前記ＭＢＳＦＮ送信に使用される割り当てられるＭＢＳＦＮサブフレームの最大範囲を示す、請求項１０に記載のＭＣＥ。
【請求項１３】
マルチメディア放送／マルチキャストサービス（ＭＢＭＳ）のためのマルチキャスト放送の単一周波数ネットワーク（ＭＢＳＦＮ）送信に使用される無線リソースを動的にディスパッチする基地局であって、
マルチセル／マルチキャスト協調エンティティ（ＭＣＥ）から半静的ＭＢＭＳディスパッチ情報メッセージを受信するディスパッチ情報受信手段を含み、前記半静的ＭＢＭＳディスパッチ情報メッセージは、ＭＢＳＦＮ送信に使用される各ＭＢＭＳサービスまたは各ＭＢＭＳサービス・グループのサービス品質（ＱｏＳ）要件に従って前記ＭＣＥによって決定された各ＭＢＭＳサービスまたは各ＭＢＭＳサービス・グループの半静的ＭＢＭＳディスパッチ情報を含み、さらに、
前記受信された半静的ＭＢＭＳディスパッチ情報メッセージ内に含まれる前記半静的ＭＢＭＳディスパッチ情報および各ＭＢＭＳサービスまたは各ＭＢＭＳサービス・グループによって処理される実際のデータ量に従って、現在のディスパッチ周期について前記無線リソースを動的にディスパッチする動的ディスパッチ手段を含む、基地局。
【請求項１４】
前記受信された半静的ＭＢＭＳディスパッチ情報を無線リソース制御（ＲＲＣ）シグナリングを介してそれぞれの移動局に送信するディスパッチ情報送信手段と、
前記半静的ＭＢＭＳディスパッチ情報メッセージが正しく受信されたかどうかを示すために半静的ＭＢＭＳディスパッチ情報応答メッセージを前記ＭＣＥにフィードバックするフィードバック手段とをさらに含む、請求項１３に記載の基地局。
【請求項１５】
前記半静的ＭＢＭＳディスパッチ情報は、各ＭＢＭＳサービスまたは各ＭＢＭＳサービス・グループの送信シーケンス情報、ＭＢＭＳサブフレーム割当パターン（ＭＳＡＰ）情報、および変調および符号化方式（ＭＣＳ）情報を含み、前記ＭＳＡＰ情報は、各ＭＢＭＳサービスまたは各ＭＢＭＳサービス・グループのＭＢＳＦＮ送信に使用される割り当てられるＭＢＳＦＮサブフレームの最大範囲を示す、請求項１３に記載の基地局。
【発明の詳細な説明】
【技術分野】
【０００１】
本発明は、無線通信の分野に関する。より具体的には、本発明は、マルチメディア放送／マルチキャストサービス（ＭＢＭＳ）サービスのサービス品質（ＱｏＳ）要件をよりよく満足でき、無線リソースのより効率的な利用を達成できる、ＭＢＭＳのためのマルチキャスト放送の単一周波数ネットワーク（ＭＢＳＦＮ）送信に使用される無線リソースを動的にディスパッチする方法、マルチセル／マルチキャスト協調エンティティ（ＭＣＥ）、および基地局（ｅＮＢ）に関する。
【背景技術】
【０００２】
周知のように、改良されたマルチメディア放送マルチキャストサービス（ｅＭＢＭＳ）のためのＭＢＳＦＮ送信が、ｅＭＢＭＳのリリース９の本質的特徴になることが決定された。効率的で正しいＭＢＳＦＮ送信のためには、同一のコンテンツ・データ・パケットを無線で同一の無線リソースを介して同時に送信することが要求される。明らかに、ＭＢＳＦＮ送信について、複数の用いられるｅＮＢ（基地局）の間の調整が必要であり、これは、リソース割当、無線構成、およびディスパッチを含む。その一方で、無線リソース効率の利益を考慮して、ｅＭＢＭＳのリリース９は、サービス多重化をもサポートする。ＭＢＳＦＮ送信の要件を満足し、無線リソースの効率を改善するために動的ディスパッチをどのようにして実行すべきかは、いまだに対処されなければならない問題である。
【発明の概要】
【発明が解決しようとする課題】
【０００３】
本発明は、従来技術の欠点を克服するために提案される。本発明の目的は、マルチメディア放送／マルチキャストサービス（ＭＢＭＳ）サービスのＱｏＳ要件をよりよく満足し、無線リソースの効率的利用を達成できる、ＭＢＭＳのためのマルチキャスト放送の単一周波数ネットワーク（ＭＢＳＦＮ）送信に使用される無線リソースを動的にディスパッチする方法、ＭＣＥ、および基地局を提案することである。
【課題を解決するための手段】
【０００４】
上記の目的を達成するために、マルチメディア放送／マルチキャストサービス（ＭＢＭＳ）のためのマルチキャスト放送の単一周波数ネットワーク（ＭＢＳＦＮ）送信に使用される無線リソースを動的にディスパッチする方法であって、マルチセル／マルチキャスト協調エンティティ（ＭＣＥ）によって、現在のディスパッチ周期について、ＭＢＳＦＮ送信に使用される各ＭＢＭＳサービスまたは各ＭＢＭＳサービス・グループのサービス品質（ＱｏＳ）要件に従って各ＭＢＭＳサービスまたは各ＭＢＭＳサービス・グループの半静的ＭＢＭＳディスパッチ情報を決定するステップであって、ＭＢＭＳサービス・グループは、そのＱｏＳ要件として同一のブロック誤り率を有する複数のＭＢＭＳサービスを統計的に多重化することによって形成されるサービス・グループである、ステップと、ＭＣＥによって、ＭＢＳＦＮエリア内の各基地局および各基地局の制御下のそれぞれの移動局に決定された半静的ＭＢＭＳディスパッチ情報について知らせるステップと、各基地局によって、ＭＣＥから受信された半静的ＭＢＭＳディスパッチ情報および各ＭＢＭＳサービスまたは各ＭＢＭＳサービス・グループによって処理される実際のデータ量に従って無線リソースを動的にディスパッチするステップとを含む方法が、本発明に従って提供される。
【０００５】
好ましくは、半静的ＭＢＭＳディスパッチ情報は、各ＭＢＭＳサービスまたは各ＭＢＭＳサービス・グループの送信シーケンス情報、ＭＢＭＳサブフレーム割当パターン（ＭＳＡＰ）情報、および変調および符号化ソリューション（ＭＣＳ）情報を含み、ＭＳＡＰ情報は、各ＭＢＭＳサービスまたは各ＭＢＭＳサービス・グループのＭＢＳＦＮ送信に使用される割り当てられるＭＢＳＦＮサブフレームの最大範囲を示す。
【０００６】
好ましくは、ＭＢＭＳサービス・グループを形成する各ＭＢＭＳサービスのＭＢＳＦＮ送信に使用される内部送信シーケンスがあり、内部送信シーケンスは、ＭＢＭＳサービス・グループを形成する各ＭＢＭＳサービスのＱｏＳ要件に従ってＭＣＥによって決定される。
【０００７】
好ましくは、無線リソースを動的にディスパッチするステップは、各ＭＢＭＳサービスまたは各ＭＢＭＳサービス・グループによって処理される実際のデータ量が、ＭＳＡＰ情報によって示されるＭＢＭＳサービスまたはＭＢＭＳサービス・グループに割り当てられたＭＢＳＦＮサブフレームのすべてを占めるのではない場合に、占められていないＭＢＳＦＮサブフレームをユニキャスト・サービスに使用するステップと、各ＭＢＭＳサービスまたは各ＭＢＭＳサービス・グループによって処理される実際のデータ量が、ＭＳＡＰ情報によって示されるＭＢＭＳサービスまたはＭＢＭＳサービス・グループに割り当てられたＭＢＳＦＮサブフレームのすべてを充てんするのではない場合に、充てんするデータをＭＢＭＳサービスの最後のＭＢＳＦＮサブフレームだけに追加し、または充てんするデータをＭＢＭＳサービス・グループを形成するすべてのＭＢＭＳサービスの中の最後のＭＢＭＳサービスの最後のＭＢＳＦＮサブフレームだけに追加するステップとを含む。
【０００８】
好ましくは、各ＭＢＭＳサービスについて、ＭＳＡＰ情報およびＭＣＳ情報は、ＭＢＭＳサービスの保証ビットレート（ＧＢＲ）または最大ビットレート（ＭＢＲ）に従って決定され、各ＭＢＭＳサービス・グループについて、ＭＳＡＰ情報およびＭＣＳ情報は、ＭＢＭＳサービス・グループの集約グループビットレート（Ａｇｇｒｅｇａｔｉｖｅ  Ｇｒｏｕｐ  Ｂｉｔ  Ｒａｔｅ）およびブロック誤り率のＱｏＳ要件に従って決定され、送信シーケンス情報は、各ＭＢＭＳサービスまたは各ＭＢＭＳサービス・グループの優先順位レベルまたは遅延に従って決定される。
【０００９】
好ましくは、内部送信シーケンスは、ＭＢＭＳサービス・グループを形成する各ＭＢＭＳサービスの優先順位レベルまたは遅延によって決定される。
【００１０】
好ましくは、ＭＣＥによって、ＭＢＳＦＮエリア内の各基地局および各基地局の制御下のそれぞれの移動局に決定された半静的ＭＢＭＳディスパッチ情報について知らせるステップは、ＭＣＥによって、Ｍ２インターフェースを介してＭＢＳＦＮエリア内の各基地局に半静的ＭＢＭＳディスパッチ情報について知らせるステップと、各基地局によって、基地局によって受信された半静的ＭＢＭＳディスパッチ情報をＭＣＥから無線リソース制御（ＲＲＣ）シグナリングを介してＵｕインターフェースを介してそれぞれの移動局に送信するステップとを含む。
【００１１】
好ましくは、ＭＣＥによって、Ｍ２インターフェースを介してＭＢＳＦＮエリア内の各基地局に半静的ＭＢＭＳディスパッチ情報について知らせるステップは、半静的ＭＢＭＳディスパッチ情報を含む半静的ＭＢＭＳディスパッチ情報メッセージをＭＣＥからＭ２インターフェースを介して各基地局に送信するステップと、各基地局によって、ＭＣＥからＭ２インターフェースを介して半静的ＭＢＭＳディスパッチ情報メッセージを受信し、基地局によって、半静的ＭＢＭＳディスパッチ情報メッセージが正しく受信されたかどうかを示すために半静的ＭＢＭＳディスパッチ情報応答メッセージをフィードバックするステップとを含む。
【００１２】
好ましくは、ＲＲＣシグナリングは、ＭＢＭＳ変更済みサービス情報（ＭＢＭＳ  ｍｏｄｉｆｉｅｄ  ｓｅｒｖｉｃｅ  ｉｎｆｏｒｍａｔｉｏｎ）シグナリング、ＭＢＭＳ未変更サービス情報（ＭＢＭＳ  ｕｎｍｏｄｉｆｉｅｄ  ｓｅｒｖｉｃｅ  ｉｎｆｏｒｍａｔｉｏｎ）シグナリング、および現在のセルのポイント・ツー・マルチポイント無線ベアラ（Ｐｏｉｎｔ  ｔｏ  Ｍｕｌｔｉｐｏｉｎｔ  Ｒａｄｉｏ  Ｂｅａｒｅｒ）（ＰＴＭ  ＲＢ）情報シグナリングを含む。
【００１３】
好ましくは、各基地局によって無線リソースの動的ディスパッチから入手される動的ディスパッチの結果は、移動局が所望のＭＢＭＳサービスまたはＭＢＭＳサービス・グループを基地局から受信し、復号するために、「ＭＢＭＳディスパッチ情報媒体アクセス制御ＭＡＣ要素」を利用して基地局からそれぞれの移動局に送信される。
【００１４】
さらに、マルチメディア放送／マルチキャストサービス（ＭＢＭＳ）のためのマルチキャスト放送の単一周波数ネットワーク（ＭＢＳＦＮ）送信に使用される無線リソースを動的にディスパッチするマルチセル／マルチキャスト協調エンティティ（ＭＣＥ）であって、現在のディスパッチ周期について、ＭＢＳＦＮ送信に使用される各ＭＢＭＳサービスまたは各ＭＢＭＳサービス・グループのサービス品質（ＱｏＳ）要件に従って各ＭＢＭＳサービスまたは各ＭＢＭＳサービス・グループの半静的ＭＢＭＳディスパッチ情報を決定するディスパッチ情報決定手段であって、ＭＢＭＳサービス・グループは、そのＱｏＳ要件として同一のブロック誤り率を有する複数のＭＢＭＳサービスを統計的に多重化することによって形成されるサービス・グループである、ディスパッチ情報決定手段と、半静的ＭＢＭＳディスパッチ情報を含む半静的ＭＢＭＳディスパッチ情報メッセージをＭＢＳＦＮエリア内の各基地局に送信するディスパッチ情報送信手段とを含むＭＣＥが、本発明に従って提供される。
【００１５】
好ましくは、ＭＣＥは、各基地局からフィードバックされた半静的ＭＢＭＳディスパッチ情報応答メッセージを、基地局に送信された半静的ＭＢＭＳディスパッチ情報メッセージが正しく受信されたかどうかを判定するために受信するフィードバック受信手段をさらに含む。
【００１６】
さらに、マルチメディア放送／マルチキャストサービス（ＭＢＭＳ）のためのマルチキャスト放送の単一周波数ネットワーク（ＭＢＳＦＮ）送信に使用される無線リソースを動的にディスパッチする基地局であって、マルチセル／マルチキャスト協調エンティティ（ＭＣＥ）から半静的ＭＢＭＳディスパッチ情報メッセージを受信するディスパッチ情報受信手段であって、半静的ＭＢＭＳディスパッチ情報メッセージは、ＭＢＳＦＮ送信に使用される各ＭＢＭＳサービスまたは各ＭＢＭＳサービス・グループのサービス品質（ＱｏＳ）要件に従ってＭＣＥによって決定された各ＭＢＭＳサービスまたは各ＭＢＭＳサービス・グループの半静的ＭＢＭＳディスパッチ情報を含む、ディスパッチ情報受信手段と、受信された半静的ＭＢＭＳディスパッチ情報メッセージ内に含まれる半静的ＭＢＭＳディスパッチ情報および各ＭＢＭＳサービスまたは各ＭＢＭＳサービス・グループによって処理される実際のデータ量に従って、現在のディスパッチ周期について無線リソースを動的にディスパッチする動的ディスパッチ手段とを含む基地局が、本発明に従って提供される。
【００１７】
好ましくは、基地局は、受信された半静的ＭＢＭＳディスパッチ情報を無線リソース制御（ＲＲＣ）シグナリングを介してそれぞれの移動局に送信するディスパッチ情報送信手段と、半静的ＭＢＭＳディスパッチ情報メッセージが正しく受信されたかどうかを示すために半静的ＭＢＭＳディスパッチ情報応答メッセージをＭＣＥにフィードバックするフィードバック手段とをさらに含む。
【００１８】
本発明の上記の目的、利点、および特徴は、添付図面と併せて好ましい実施形態の次の詳細な説明から、より明白になる。
【図面の簡単な説明】
【００１９】
【図１】本発明によるＭＢＭＳのためのＭＢＳＦＮ送信に使用される無線リソースを動的にディスパッチする方法を示す流れ図である。
【図２】ＭＣＥからＭ２インターフェースまたはＵｕインターフェースを介して半静的ＭＢＭＳディスパッチ情報について基地局およびその基地局の制御下のそれぞれの移動局に知らせる手順を示すシーケンス図である。
【図３】本発明による、ＭＣＥからＭ２インターフェースを介して半静的ＭＢＭＳディスパッチ情報について基地局に知らせる手順を示すシーケンス図である。
【図４】本発明による、ＭＣＥから基地局に送信される半静的ＭＢＭＳディスパッチ情報メッセージの例示的なメッセージ構造を示す概略図である。
【図５】本発明による、ＭＢＭＳのためのＭＢＳＦＮ送信に使用される無線リソースを動的にディスパッチする動作の例を示す概略図である。
【図６】本発明による、ＭＢＭＳのためのＭＢＳＦＮ送信に使用される無線リソースを動的にディスパッチするＭＣＥを示す構造図である。
【図７】本発明による、ＭＢＭＳのためのＭＢＳＦＮ送信に使用される無線リソースを動的にディスパッチする基地局を示す構造図である。
【発明を実施するための形態】
【００２０】
本発明は、無線リソースを動的にディスパッチする機構を提示する。この機構は、無線リソース効率、ディスパッチの公平性、およびＭＢＳＦＮ送信調整の要件を考慮に入れるだけではなく、Ｍ２インターフェースおよびＵｕインターフェースを介するＭＣＥ、ｅＮＢ、およびＵＥ（移動局）の間の関連するシグナリングをも考慮に入れる。
【００２１】
本発明によれば、ｅＭＢＭＳディスパッチおよびＭＢＳＦＮ送信の動作構成が、以下のように示されることを理解されたい。
１）ＭＣＥは、ＭＢＳＦＮ送信に関するＭＢＳＦＮエリア内のすべてのｅＮＢの無線リソース割当のための論理機能エンティティと定義される。また、変調および符号化方式（ＭＣＳ）などのＭＢＳＦＮ送信の無線構成のさらなる詳細は、ＭＣＥによって決定される。ＭＣＥは、ＭＢＳＦＮ送信に用いられるすべてのｅＮＢの中央調整エンティティである。
２）ｅＭＢＭＳディスパッチは、たとえば１つのディスパッチ周期３２０ミリ秒を伴って周期的である。さらに、当技術分野で既知のように、ＭＢＭＳサービスおよびユニキャストを、ＴＤＭ（時分割多重）モードを使用して混合された搬送波内で多重化することができる。
３）各ディスパッチ周期内で、ＭＳＡＰ（ＭＢＭＳサブフレーム割当パターン）情報とも呼ばれるＭＢＳＦＮ送信を実行できるようになるために定義されるＭＢＳＦＮサブフレームの割当情報が、決定される。ＭＳＡＰ情報は、半静的であり、ＭＣＥによって決定される。このＭＳＡＰ情報は、ＭＢＳＦＮ送信が可能な割り当てられるＭＢＳＦＮサブフレームの最大範囲を定義する。
４）ＭＢＭＳのためのＭＢＳＦＮ送信は、システム情報ＳＩＢ２（「システム情報ブロックタイプ２」）のＭＢＳＦＮサブフレーム割当パターンによって事前に構成されたＭＢＳＦＮサブフレーム内すなわち、ＭＳＡＰ情報によって示されるＭＢＳＦＮサブフレーム範囲内にのみ存在しなければならない。１つの無線サブフレーム内の＃０、＃４、＃５、および＃９サブフレームは、ＭＢＳＦＮサブフレーム割当の前に除外されなければならない。
【００２２】
本発明の好ましい実施形態を、図面を参照して説明する。
【００２３】
図１は、本発明によるＭＢＭＳのためのＭＢＳＦＮ送信に使用される無線リソースを動的にディスパッチする方法の流れ図である。
【００２４】
図１に示されているように、本発明の無線リソースを動的にディスパッチする方法によれば、ステップ１０１では、現在のディスパッチ周期について、ＭＣＥは、ＭＢＳＦＮ送信に使用される各ＭＢＭＳサービスまたは各ＭＢＭＳサービス・グループのサービス品質（ＱｏＳ）要件に従って、各ＭＢＭＳサービスまたは各ＭＢＭＳサービス・グループの半静的ＭＢＭＳディスパッチ情報を決定する。
【００２５】
ここで、ＭＢＳＦＮ送信に使用されるＭＢＭＳサービスを、２つのタイプに分類できることに留意されたい。一方のタイプは、統計的に多重化されたサービス（ｓｔａｔｉｓｔｉｃａｌｌｙ  ｍｕｌｔｉｐｌｅｘｅｄ  ｓｅｒｖｉｃｅ）と呼ばれ、他方のタイプは、非統計的に多重化されたサービス（ｎｏｎ−ｓｔａｔｉｓｔｉｃａｌｌｙ  ｍｕｌｔｉｐｌｅｘｅｄ  ｓｅｒｖｉｃｅ）と呼ばれる。ブロック誤り率（ＢＬＥＲ）の同一のＱｏＳ要件を有する、たとえば同一の変調方式を有するこれらのサービスは、ＭＡＣ  ＰＤＵ（媒体アクセス制御プロトコル・データ・ユニット）に多重化されなければならない。これを、統計的多重化と呼ぶ。１つのＭＡＣ  ＰＤＵに統計的に多重化されるすべてのサービスを、１つのサービス・グループと定義することができる。ＭＳＡＰを決定する時に、ＭＣＥは、動作のためにこのサービス・グループを１つの「サービス」と考えることができる。したがって、「各ＭＢＭＳサービスまたは各ＭＢＭＳサービス・グループ」の「ＭＢＭＳサービス」は、非統計的に多重化されたサービスを指すが、本明細書の「ＭＢＭＳサービス・グループ」は、ブロック誤り率の同一のＱｏＳ要件を有する複数のＭＢＭＳサービスを統計的に多重化することによって形成されたサービス・グループを指す。
【００２６】
各ＭＢＭＳサービスまたは各ＭＢＭＳサービス・グループのＱｏＳ要件に従って、ＭＣＥによって決定される半静的ＭＢＭＳディスパッチ情報は、３種類の情報すなわち、各ＭＢＭＳサービスまたは各ＭＢＭＳサービス・グループの送信シーケンス情報、ＭＳＡＰ情報、および変調および符号化方式（ＭＣＳ）情報を含むことができる。
【００２７】
送信シーケンスは、あるＭＢＭＳサービス・グループ内の各ＭＢＭＳサービスの内部送信シーケンスおよびＭＢＳＦＮエリア内のすべてのＭＢＳＦＮ送信のサービス・シーケンスを含む。すべてのＭＢＳＦＮ送信のサービス・シーケンスについて、統計的に多重化されたサービス・グループを、配置すべき１つのサービスと考えることができる。たとえば、Ｓ１、Ｓ２、Ｓ３、Ｓ４、およびＳ５によって表される５つのＭＢＳＦＮ送信サービスがあり、その中で、Ｓ１、Ｓ３、およびＳ４が、統計的に多重化されるサービスであり、１つのサービス・グループ｛Ｓ１，Ｓ３，Ｓ４｝に属すると仮定する。次に、ＭＢＳＦＮサービス・グループ内の各ＭＢＭＳサービスの、優先順位レベルまたは遅延などのＱｏＳ要件が検討される。このサービス・グループでは、内部送信シーケンスは、｛Ｓ３，Ｓ１，Ｓ４｝である。すべてのＭＢＳＦＮ送信のサービス・シーケンスに関して、ＭＣＥによって決定される最終的な送信シーケンスは、｛Ｓ５，｛Ｓ３，Ｓ１，Ｓ４｝，Ｓ２｝になる。
【００２８】
ここで、ＭＳＡＰ情報は、各ＭＢＭＳサービスまたは各ＭＢＭＳサービス・グループのＭＢＳＦＮ送信に使用される割り当てられたＭＢＳＦＮサブフレームの最大範囲を示す。ＭＳＡＰ情報について、１つの統計的に多重化されたサービス・グループを、決定を行うために１つのサービスと考えることもできる。ＭＣＥは、非統計的に多重化されたサービスの保証ビットレート（ＧＢＲ）要件または最大ビットレート（ＭＢＲ）要件およびＢＬＥＲ要件、ならびに統計的に多重化されたサービスの集約グループビットレート（ＡＧＢＲ）要件およびＢＬＥＲ要件など、各ＭＢＭＳサービスのＱｏＳ要件に従ってＭＣＳ情報およびＭＳＡＰ情報を決定することができる。ＭＢＭＳサービスまたはＭＢＭＳサービス・グループのために動的にディスパッチされるサブフレームは、ＭＳＡＰ情報によって示されるＭＢＳＦＮサブフレーム割当のサブフレーム範囲を超えない。したがって、ＭＳＡＰ情報は、各ＭＢＭＳサービスまたは各ＭＢＭＳサービス・グループのＭＢＳＦＮ送信のサブフレーム範囲を制限するのに使用される。たとえば、ディスパッチ周期のＭＳＡＰ情報内に、１つのＭＢＭＳサービスのために定義された３つのサブフレームがある場合には、これは、このＭＢＭＳサービスについて、後続の動的ディスパッチが３つのサブフレームを超えないことを意味する。
【００２９】
次に、図１のステップ１０３で、前記ＭＣＥは、ＭＢＳＦＮエリア内の各基地局およびそれらの基地局の制御下のそれぞれの移動局に、決定された半静的ＭＢＭＳディスパッチ情報について知らせる。
【００３０】
図２に移ると、図２は、ＭＣＥからＭ２インターフェースまたはＵｕインターフェースを介して基地局およびその基地局の制御下のそれぞれの移動局に半静的ＭＢＭＳディスパッチ情報について知らせる手順のシーケンス図である。
【００３１】
図２に示されているように、前記半静的ＭＢＭＳディスパッチ情報は、ＭＢＭＳディスパッチ情報を介してなど、ＭＣＥとｅＮＢとの間のＭ２インターフェースを介してＭＣＥからＭＢＳＦＮエリア内の各基地局に送信される。ｅＮＢは、ＭＣＥから半静的ＭＢＭＳディスパッチ情報メッセージを受信し、その半静的ＭＢＭＳディスパッチ情報メッセージ内の特定の内容に従ってｅＮＢの構成および関連するＲＲＣ情報を更新する。この通知およびＭＢＭＳポイント・ツー・マルチポイント制御チャネル（ＭＣＣＨ）メッセージ周期送信機構を考慮して、各基地局は、ＭＢＭＳ変更済みサービス情報シグナリング、ＭＢＭＳ未変更サービス情報シグナリング、および現在のセルのポイント・ツー・マルチポイント無線ベアラ（ＰＴＭ  ＲＢ）情報シグナリングなどの異なる無線リソース制御（ＲＲＣ）シグナリングを介して半静的ＭＢＭＳディスパッチ情報をそれぞれのＵＥに送信する。したがって、すべてのかかわるｅＮＢおよびそのｅＮＢの制御下のＵＥは、基地局のＭＡＣレベルを介して後続ディスパッチに使用される同一の半静的ＭＢＭＳディスパッチ情報を有する。ここで、すべての基地局についてディスパッチ結果を調整する統一された処理が、ＭＣＥ内で実行されることを強調しなければならない。
【００３２】
本発明によれば、相互作用手順は、ＭＣＥからｅＮＢへの半静的ＭＢＭＳディスパッチ情報の送信についてＭ２インターフェース（Ｍ２アプリケーション・プロトコル）を介して定義される。
【００３３】
図３に示された相互作用手順が、半静的ＭＢＭＳディスパッチ情報の配送に使用され、ＭＳＡＰ情報、ＭＣＳ情報、ならびにその中で暗示される送信シーケンスの送信の「ＭＢＭＳディスパッチ情報手順」として定義され得る。この相互作用手順は、１対のメッセージすなわちＭＢＭＳディスパッチ情報メッセージおよびＭＢＭＳディスパッチ情報応答メッセージの配送を含む。この相互作用手順では、確認モードが、すべてのかかわるｅＮＢが半静的ディスパッチ情報を正しく受信することを保証するために使用される。
【００３４】
図３に示されているように、前記半静的ＭＢＭＳディスパッチ情報を含む半静的ＭＢＭＳディスパッチ情報メッセージは、ＭＣＥからＭ２インターフェースを介してｅＮＢに送信される。ｅＮＢは、ＭＢＭＳディスパッチ情報応答メッセージをＭＣＥにフィードバックして、ＭＢＭＳディスパッチ情報が正しく受信されたかどうかを示す。
【００３５】
図４は、本発明による、ＭＣＥから基地局に送信される半静的ＭＢＭＳディスパッチ情報メッセージの例示的なメッセージ構造の概略図である。
【００３６】
図４に示されているように、ＭＢＭＳディスパッチ情報メッセージ内には、サービスＩＤ、ＭＳＡＰ情報、およびＭＣＳ情報を含む、各ＭＢＭＳサービス（または各ＭＢＭＳサービス・グループ）の情報セットがある。これらの情報セットの配置シーケンスは、これらのＭＢＭＳサービスまたはＭＢＭＳサービス・グループの送信シーケンスを暗示する。この統計的に多重化されたサービス・グループを、１つのサービスと考えることができる。統一されたＭＣＳおよびＭＳＡＰを、ＭＢＭＳサービス・グループのために定義することができる。このＭＢＭＳサービス・グループ内では、各ＭＢＭＳサービスは、優先順位レベルまたは遅延その他など、ＭＢＭＳサービス・グループ内の各ＭＢＭＳサービスのＱｏＳ要件に従ってＭＣＥによって決定される内部送信シーケンスを有する。
【００３７】
ＭＢＳＦＮサブフレーム割当は、個数および正確な位置が事前に決定されているディスパッチ周期内の別個の割当とすることができる。したがって、図４に示されたＭＢＳＦＮサブフレームのインデックスは、ＭＳＡＰ表示として各ＭＢＭＳサービスのサブフレーム・インデックスの開始点を使用することができる。
【００３８】
図１に戻って、ステップ１０５では、各基地局は、ＭＣＥから受信した半静的ＭＢＭＳディスパッチ情報ならびに各ＭＢＭＳサービスまたは各ＭＢＭＳサービス・グループによって処理される実際のデータ量に従って無線リソースを動的にディスパッチする。
【００３９】
具体的に言うと、ステップ１０５では、動的ディスパッチを、現在のディスパッチ周期を待っている各ＭＢＭＳサービスまたは各ＭＢＭＳサービス・グループによって処理される実際のデータ量に従って各ｅＮＢのＭＡＣ層で実行することができる。ＭＳＡＰ内の各ＭＢＭＳサービスまたは各ＭＢＭＳサービス・グループのサブフレームは、ＱｏＳ要件に基づくものとすることができるが、実際のサービス・データが、バーストである場合があり、したがって、各周期の処理量は、変動する。無線リソースの最大限の利用および各サービスの公平な処理のために、ＭＳＡＰ内の動的ディスパッチが、本明細書で提案される。ディスパッチ周期内に、ＭＢＭＳサービスまたはＭＢＭＳサービス・グループの最大サブフレーム利用は、そのＭＢＭＳサービスまたはＭＢＭＳサービス・グループのＭＳＡＰ情報によって示されるサブフレーム割当を超えてはならない。この動的ディスパッチの手順では、各ＭＢＭＳサービスまたは各ＭＢＭＳサービス・グループのために処理される実際のデータ量が、前記ＭＳＡＰ情報によって示される前記ＭＢＭＳサービスまたは前記ＭＢＭＳサービス・グループのために割り当てられたＭＢＳＦＮサブフレームのすべてを占めるのではない場合に、占められていないＭＢＳＦＮサブフレームを、ユニキャスト・サービスに使用することができる。各ＭＢＭＳサービスまたは各ＭＢＭＳサービス・グループのために処理される実際のデータ量が、前記ＭＳＡＰ情報によって示される前記ＭＢＭＳサービスまたは前記ＭＢＭＳサービス・グループのために割り当てられたＭＢＳＦＮサブフレームのすべてを充てんするのではない可能性がある場合に、前記ＭＢＭＳサービスの最後のＭＢＳＦＮサブフレームにいくつかの充てんするデータを追加することだけ、または、前記ＭＢＭＳサービス・グループを形成するすべてのＭＢＭＳサービスの中で最後のＭＢＭＳサービスの最後のＭＢＳＦＮサブフレームにいくつかの充てんするデータを追加することだけが必要である。
【００４０】
コンテンツ同期化機構は、かかわるｅＮＢのＭＢＳＦＮ送信が同一量の同一コンテンツ・データを有することを保証できる強制力のある機構であり、異なるｅＮＢは、同一のルールに従って一致したディスパッチング結果を得ることができるので、本発明による動的ディスパッチは、ＭＢＳＦＮ送信の同期化要件に影響しない。
【００４１】
さらに、ｅＮＢのＭＡＣ層での動的ディスパッチ結果は、瞬間的にＵＥに知らされなければならない。各ディスパッチ周期内に、動的ディスパッチ結果を、周波数帯内でのＭＡＣ制御要素を介する最初のサービス・データ送信を使用して配送することができる。このＭＡＣ制御要素は、「ＭＢＭＳディスパッチ情報ＭＡＣ制御要素（ＭＢＭＳ  ｄｉｓｐａｔｃｈｉｎｇ  ｉｎｆｏｒｍａｔｉｏｎ  ＭＡＣ  ｃｏｎｔｒｏｌ  ｅｌｅｍｅｎｔ）」と呼ばれる新規のＭＡＣ制御要素である。頑健性およびＵＥでの正しい受信を保証するために、ディスパッチ周期中に、繰返し機構を使用することができる。各ＭＢＭＳサービスまたは各ＭＢＭＳサービス・グループの実際のディスパッチ結果について、その機構は、各ＭＢＭＳサービスまたは各ＭＢＭＳサービス・グループのＭＢＳＦＮサブフレームの終了インデックスだけをリストしなければならない。したがって、ＵＥは、「ＭＢＭＳディスパッチ情報ＭＡＣ制御要素」を受信する時に、前に受信された半静的ＭＢＭＳディスパッチ情報とともに、そのＵＥについて望まれるＭＢＭＳサービスを明示的に正しく受信し、復号することができる。
【００４２】
本発明による動的ディスパッチ機構の利点は、
１）各サービスのＱｏＳ要件を満足できることと、
２）無線リソースをより効率的に使用できることと、
３）各サービスの処理の公平性を考慮に入れることができることと、
４）ＭＢＳＦＮ送信での同期化要件に影響しないことが可能であることと
にある。
【００４３】
図５は、本発明による、ＭＢＭＳのためのＭＢＳＦＮ送信に使用される無線リソースを動的にディスパッチする動作の例の概略図である。
【００４４】
たとえば、図５に示されているように、それぞれがそれぞれＳ１、Ｓ２、Ｓ３、Ｓ４、およびＳ５のサービスＩＤを有する、ＭＢＳＦＮ送信に加わる５つのＭＢＭＳサービスがある。それら自体のＱｏＳ要件に従って、Ｓ１、Ｓ３、およびＳ５は、ＢＬＥＲに関する同一の要件を有し、したがって、これらは、同一のＭＣＳを使用することができ、１つのＭＡＣ  ＰＤＵに多重化され得る。したがって、多重化に関するサービス・グループ｛Ｓ１，Ｓ２，Ｓ３｝がある。このサービス・グループは、サーバによって定義され、その定義は、セッションの最初のメッセージでＭＣＥに知らされる。
【００４５】
次に、本発明に従って、半静的ＭＢＭＳディスパッチ情報が、たとえば各ＭＢＭＳサービスまたは各ＭＢＭＳサービス・グループの送信シーケンス、ＭＳＡＰ情報、およびＭＣＳ情報に関して、ＭＣＥによって決定される。
【００４６】
この例では、ＳＩＢ２内のサブフレーム割当は、「割当周期＝８無線フレーム」、「オフセット＝０」、「サブフレーム割当＝１１１０００」を示す。その結果、ディスパッチ周期内に、ＭＢＳＦＮサブフレームを含む無線フレームのインデックスは、＃０、＃８、＃１６、および＃２４になると決定される。これらの無線フレーム内では、ＭＢＳＦＮサブフレームのサブフレーム・インデックスが、＃１、＃２、および＃３になると決定される。１つのディスパッチ周期内のＭＢＳＦＮサブフレームの総量は、図５に示されているように１２である。
【００４７】
これらのサービスのＭＳＡＰは、ＭＣＥによって決定される。この例では、サービス・グループ｛Ｓ１，Ｓ２，Ｓ３｝の７つのサブフレームがあり、Ｓ４の３つのサブフレームおよびＳ２の２つのサブフレームがある。
【００４８】
ＭＣＥは、さらに、優先順位レベルまたは遅延その他などの他のＱｏＳ要件に従って、これらのサービスまたはサービス・グループの送信シーケンスを決定する。たとえば、ここでの送信シーケンスは、｛Ｓ３，Ｓ１，Ｓ５｝，Ｓ４，Ｓ２であり、ここで、サービス・グループは、１つのサービスと考えられるが、そのサービス・グループ内のＭＢＭＳサービスは、内部シーケンスを有する。
【００４９】
ＭＳＣ解決は、各ＭＢＭＳサービスまたは各ＭＢＭＳサービス・グループについて決定される。具体的に言うと、｛Ｓ３，Ｓ１，Ｓ５｝のＭＣＳ解決は、ＭＣＳ１であり、Ｓ４のＭＣＳ解決は、ＭＣＳ２であり、Ｓ２のＭＣＳ解決は、ＭＣＳ３である。
【００５０】
次に、半静的ＭＢＭＳディスパッチ情報を含む半静的ＭＢＭＳディスパッチ情報メッセージが、ＭＣＥによって生成され、「ＭＢＭＳディスパッチ情報手順」を使用してＭ２インターフェースを介してｅＮＢに配送される。次に、ｅＮＢは、ＲＲＣシグナリングを使用してＵｕインターフェースを介してＵＥに半静的ＭＢＭＳディスパッチ情報を配送する（ＭＢＭＳ変更済みサービス情報、ＭＢＭＳ未変更サービス情報、および現在のセルのポイント・ツー・マルチポイント無線ベアラ（ＰＴＭ  ＲＢ）情報を含む）。
【００５１】
最後に、ｅＮＢは、このディスパッチ周期内に処理される実際のデータ量に従ってＭＡＣ層で動的ディスパッチを実行する。たとえば、ＭＢＭＳサービス・グループについて、Ｓ３は、２．５サブフレームを占め、Ｓ１は、１．３サブフレームを占め、Ｓ５は、２．５サブフレームを占め、ＭＢＭＳサービスについて、Ｓ４は、１．６サブフレームを占め、Ｓ２は、２サブフレームを占める。各ＭＢＭＳサービスまたは各ＭＢＭＳサービス・グループについて、充てんするデータを、ＭＢＭＳサービスまたはＭＢＭＳサービス・グループの最後のＭＢＳＦＮサブフレームだけに追加することができる。たとえば、ＭＢＭＳサービス・グループの充てんするデータを、Ｓ５の最後のサブフレームに追加することができ、サービスＳ４の充てんするデータを、サービスＳ４の最後のサブフレームに追加することができる。その後、この５つのサービスの実際の動的ディスパッチ結果は、各ＭＢＭＳサービスのＭＢＳＦＮサブフレームの終了位置インデックスになる。ここでは、終了位置インデックスは、図５に示されているようにＳ３について３、Ｓ１について４、Ｓ５について６、Ｓ４について９、Ｓ２について１２になる。
【００５２】
開始点サブフレーム・インデックスは、ＭＳＡＰ情報内で示されるので、ＵＥは、この開始点サブフレーム・インデックスおよびＭＢＳＦＮサブフレームの終了位置インデックスを使用して、各ＭＢＭＳサービスについて決定されたサブフレーム占有を入手することができる。
【００５３】
図６は、本発明による、ＭＢＭＳのためのＭＢＳＦＮ送信に使用される無線リソースを動的にディスパッチするＭＣＥの構造図である。
【００５４】
図６に示されているように、本発明によるＭＣＥは、ディスパッチ情報決定手段６０１、ディスパッチ情報送信手段６０３、およびフィードバック受信手段６０５を含む。ディスパッチ情報決定手段６０１は、現在のディスパッチ周期について、ＭＢＳＦＮ送信に使用される各ＭＢＭＳサービスまたは各ＭＢＭＳサービス・グループのＱｏＳ要件に従って、各ＭＢＭＳサービスまたは各ＭＢＭＳサービス・グループの半静的ＭＢＭＳディスパッチ情報を決定し、ここで、ＭＢＭＳサービス・グループは、そのＱｏＳ要件として同一のブロック誤り率（ＢＬＥＲ）を有する複数のＭＢＭＳサービスを統計的に多重化することによって形成されるサービス・グループである。ディスパッチ情報送信手段６０３は、半静的ディスパッチ情報を含む半静的ディスパッチ情報メッセージをＭＢＳＦＮエリア内の各ｅＮＢに送信する。フィードバック受信手段６０５は、基地局に送信された半静的ＭＢＭＳディスパッチ情報メッセージが正しく受信されたかどうかを判定するために、ｅＮＢからフィードバックされた半静的ＭＢＭＳディスパッチ情報応答メッセージを受信する。
【００５５】
図７は、本発明による、ＭＢＭＳのためのＭＢＳＦＮ送信に使用される無線リソースを動的にディスパッチする基地局の構造図である。
【００５６】
図７に示されているように、本発明によるｅＮＢは、ディスパッチ情報受信手段７０１、動的ディスパッチ手段７０３、ディスパッチ情報送信手段７０５、およびフィードバック手段７０７を含む。ディスパッチ情報受信手段７０１は、ＭＣＥから半静的ＭＢＭＳディスパッチ情報メッセージを受信し、ここで、半静的ＭＢＭＳディスパッチ情報メッセージは、ＭＢＳＦＮ送信に使用される各ＭＢＭＳサービスまたは各ＭＢＭＳサービス・グループのＱｏＳ要件に従ってＭＣＥによって決定された各ＭＢＭＳサービスまたは各ＭＢＭＳサービス・グループの半静的ＭＢＭＳディスパッチ情報を含む。動的ディスパッチ手段７０３は、受信された半静的ＭＢＭＳディスパッチ情報メッセージに含まれる半静的ＭＢＭＳディスパッチ情報および各ＭＢＭＳサービスまたは各ＭＢＭＳサービス・グループによって処理される実際のデータ量に従って、現在のディスパッチ周期について無線リソースを動的にディスパッチする。ディスパッチ情報送信手段７０５は、受信された半静的ＭＢＭＳディスパッチ情報をＲＲＣシグナリングを介してＵＥに送信する。フィードバック手段７０７は、半静的ＭＢＭＳディスパッチ情報メッセージが正しく受信されたかどうかを示すために半静的ＭＢＭＳディスパッチ情報応答メッセージをＭＣＥにフィードバックする。
【００５７】
本発明を、特定の実施形態と併せて説明したが、当業者は、特許請求の範囲によって定義される本発明の趣旨および範囲から逸脱せずに、本発明に対してさまざまな修正、置換、および変更を行えることをたやすく理解するであろう。したがって、本発明は、上記の実施形態によって限定されるのではなく、添付の特許請求の範囲およびその同等物によって限定される。
【図１】
0005247932.tif 000002
【図２】
0005247932.tif 000003
【図３】
0005247932.tif 000004
【図４】
0005247932.tif 000005
【図６】
0005247932.tif 000006
【図７】
0005247932.tif 000007
【図５】
0005247932.tif 000008